(57)【要約】【課題】簡易なインナーフォーカス構造を備え、良好な光学性能を維持しつつ７５度以上の広画角を達成しうる、コンパクトな投影レンズ、および投写型表示装置を提供する。【解決手段】拡大側から順に、負の屈折力を有する第１レンズ群Ｇ１と、正の屈折力を有する第２レンズ群Ｇ２と、正の屈折力を有する第３レンズ群Ｇ３とを配設してなり、第１レンズ群Ｇ１の最も縮小側に配置された第５レンズＬ５を光軸Ｘ上で移動させてフォーカス調整を行い、下記条件式（１）を満足する。３．０＜ＤＧ１２／ｆ＜６．０    （１）  ここで、ＤＧ１２：第１レンズ群Ｇ１と第２レンズ群Ｇ２の距離、ｆ：全系の焦点距離【選択図】  図１
2010054692.tif 000002
【特許請求の範囲】
【請求項１】
拡大側から順に、負の屈折力を有する第１レンズ群と、正の屈折力を有する第２レンズ群と、正の屈折力を有する第３レンズ群とを配設してなり、
前記第１レンズ群の最も縮小側に配置されたレンズ部を光軸上で移動させてフォーカス調整を行うように構成され、
さらに、下記条件式（１）を満足することを特徴とする投影レンズ。
３．０＜ＤＧ１２／ｆ＜６．０・・・（１）
ここで、
ＤＧ１２：前記第１レンズ群と前記第２レンズ群の距離
ｆ ：全系の焦点距離
【請求項２】
請求項１記載の投影レンズにおいて、下記条件式（２）を満足することを特徴とする投影レンズ。
−８．０＜ｆ１／ｆ＜−３．０・・・（２）
ここで、
ｆ１：前記第１レンズ群の焦点距離
【請求項３】
請求項１または２記載の投影レンズにおいて、下記条件式（３）を満足することを特徴とする投影レンズ。
２．５＜ｆ２３／ｆ＜６．０・・・（３）
ここで、
ｆ２３：前記第２レンズ群と前記第３レンズ群の合成焦点距離
【請求項４】
前記第１レンズ群の最も縮小側に配置されたレンズ部が、縮小側に凸面を向けた正の単レンズで構成されていることを特徴とする請求項１〜３のうちいずれか１項記載の投影レンズ。
【請求項５】
下記条件式（４）を満足することを特徴とする請求項４記載の投影レンズ。
１．８＜ｎ１Ｇ・・・（４）
ここで、
ｎ１Ｇ：前記第１レンズ群の最も縮小側のレンズ部を除いた該第１レンズ群の各レンズのd線における屈折率の平均値
【請求項６】
前記第３レンズ群の最も縮小側のレンズは正レンズと負レンズの接合レンズからなることを特徴とする請求項５記載の投影レンズ。
【請求項７】
光源と、ライトバルブと、該光源からの光束を該ライトバルブへ導く照明光学部と、請求項１〜６のうちいずれか１項記載の投影レンズとを備え、前記光源からの光束を前記ライトバルブで光変調し、前記投影レンズによりスクリーンに投写することを特徴とする投写型表示装置。
【発明の詳細な説明】
【技術分野】
【０００１】
本発明は、透過型あるいは反射型の液晶表示素子やＤＭＤ（デジタル・マイクロミラー・デバイス）等のライトバルブからの表示情報等を拡大投写する投影レンズに関し、特に、いわゆるフロントタイプの投写型表示装置に好適な投影レンズおよびこれを用いた投写型表示装置に関する。
【背景技術】
【０００２】
近年、液晶表示装置やＤＭＤ表示装置等のライトバルブを用いた投写型表示装置が広く普及しており、特に、このライトバルブを３枚用い、ＲＧＢ３原色の照明光に各々対応させるようにすることでこれら各照明光を変調し、個々のライトバルブで変調された光をプリズム等の色合成光学系で合成し、投影レンズを介してスクリーンに画像を表示する構成をとるものが広く利用されている。
【０００３】
上述した３枚のライトバルブからの各変調光を色合成光学系で合成して投写するタイプの投写型表示装置では、投影レンズの特性として色合成を行うプリズム等を配置するための長いバックフォーカスが必要となる。さらに、色合成光学系では入射光の角度によって分光特性が変化するため、投影レンズは縮小側から見た入射瞳が十分遠方に位置するという特性、すなわちテレセントリック性を持つことが必要となる。また、デバイスの解像度に見合った収差補正も必要とされる。
【０００４】
また、ライトバルブにおいては小型化・高精細化が急激に進み、パソコンの普及と相俟って、このような投写型表示装置を用いてプレゼンテーションを行うことの需要も増加しているため、投写型表示装置に対して、より高性能で、明るく、よりコンパクトなものへの要求が高まってきている。
【０００５】
しかし、投影レンズを高性能化し明るくしていこうとすると、レンズの大型化も免れ難くなり、フォーカス調整を行う場合のレンズ群の移動機構も大型化してしまう。
【０００６】
レンズ群の一部のレンズだけを移動可能に構成して、簡易なフォーカス調整を実現したインナーフォーカス方式が一眼レフレックスカメラやビデオカメラの結像レンズの分野において知られているが、このインナーフォーカス方式を投影レンズにそのまま適用した場合、射出角度がきつく、テレセントリック性を保つことが難しくなる。
【０００７】
したがって、このようなインナーフォーカス方式のレンズを投写型表示装置に用いた場合には、色合成プリズムで色合成を行なう際に、スクリーン上で色むらが発生するという問題点があり、従来のインナーフォーカス方式のレンズを、そのままプロジェクタの投影レンズとして用いることは難しかった。
【０００８】
そこで、本願出願人は、このような問題解決のために、下記特許文献１記載の投影レンズおよび投影プロジェクタ装置を既に開示している。
【０００９】
すなわち、この特許文献１記載の投影レンズは、拡大側から順に、負の第１レンズ群、正の第２レンズ群、および正の第３レンズ群を配設し、第１レンズ群の最も縮小側に配置されたレンズを光軸Ｘ上で移動させてフォーカス調整を行い、第１レンズ群と第２レンズ群の間隔、および全系の焦点距離との関係を所定の範囲となるように規定したものである。
【００１０】
このように構成された投影レンズによれば、適度なバックフォーカスとテレセントリック性を有するとともに、ディストーションと色収差の小さい良好な光学性能を有し、さらに簡易なインナーフォーカス構造を備えつつコンパクトなサイズとすることができる。
【００１１】
【特許文献１】特開２００１−１６６２０５号公報
【発明の開示】
【発明が解決しようとする課題】
【００１２】
ところで、上記特許文献１に記載された従来技術においては、全画角が６９度程度とされている。
しかしながら、近年、投写型表示装置を、スクリーンまでの距離が小さい空間においても使用したいという要求を満足するため、良好な光学性能を確保しつつ、全画角が７５度以上となる投写用の広角レンズが要求されており、上記特許文献１に記載された従来技術によっては、このような要求を満たすことが困難であった。
【００１３】
本発明はこのような事情に鑑みなされたものであり、簡易なインナーフォーカス構造を備えつつ、適度なバックフォーカスとテレセントリック性を有するとともに、良好な光学性能を有しつつ７５度以上の広画角を達成し得る、コンパクトな投影レンズ、およびこれを用いた投写型表示装置を提供することを目的とするものである。
【課題を解決するための手段】
【００１４】
本発明に係る投影レンズは、
拡大側から順に、負の屈折力を有する第１レンズ群と、正の屈折力を有する第２レンズ群と、正の屈折力を有する第３レンズ群とを配設してなり、
前記第１レンズ群の最も縮小側に配置されたレンズ部を光軸上で移動させてフォーカス調整を行うように構成され、
さらに、下記条件式（１）を満足することを特徴とするものである。
３．０＜ＤＧ１２／ｆ＜６．０・・・（１）
ここで、
ＤＧ１２：前記第１レンズ群と前記第２レンズ群の距離
ｆ ：全系の焦点距離
ここで、「レンズ部」とは、単レンズおよび接合レンズのいずれをも含む意である。
【００１５】
また、上記投影レンズにおいて、下記条件式（２）を満足することが好ましい。
−８．０＜ｆ１／ｆ＜−３．０・・・（２）
ここで、
ｆ１：前記第１レンズ群の焦点距離
【００１６】
また、いずれかの上記投影レンズにおいて、下記条件式（３）を満足することが好ましい。
２．５＜ｆ２３／ｆ＜６．０・・・（３）
ここで、
ｆ２３：前記第２レンズ群と前記第３レンズ群の合成焦点距離
【００１７】
また、いずれかの上記投影レンズにおいて、前記第１レンズ群の最も縮小側に配置されたレンズ部が、縮小側に凸面を向けた正の単レンズで構成されていることが好ましい。
【００１８】
また、いずれかの上記投影レンズにおいて、下記条件式（４）を満足することが好ましい。
１．８＜ｎ１Ｇ・・・（４）
ここで、
ｎ１Ｇ：前記第１レンズ群の最も縮小側のレンズ部を除いた該第１レンズ群の各レンズのd線における屈折率の平均値
【００１９】
また、前記第３レンズ群の最も縮小側のレンズは正レンズと負レンズの接合レンズからなることが好ましい。
【００２０】
さらに、本発明に係る投写型表示装置は、光源と、ライトバルブと、該光源からの光束を該ライトバルブへ導く照明光学部と、本発明に係るいずれかの上記投影レンズとを備え、前記光源からの光束を前記ライトバルブで光変調し、前記投影レンズによりスクリーンに投写することを特徴とするものである。
【発明の効果】
【００２１】
本発明の投影レンズおよび投写型表示装置によれば、第１レンズ群の最も縮小側に配置されたレンズを光軸Ｘ上で移動させることによりフォーカス調整を行い、第１レンズ群と第２レンズ群の間隔をＤＧ１２とし、全系の焦点距離をｆとした場合に、３．０＜ＤＧ１２／ｆ＜６．０なる条件式（１）を満足するようにしている。
【００２２】
これにより、色合成光学系を挿入可能な適度な長さのバックフォーカスを得ることができるとともに、テレセントリック性を有することができ、ディストーションと色収差の小さい良好な光学性能を有するものとすることができる。
【００２３】
また、上記条件式（１）を満足することで、前述した公報記載の従来技術に比べて、高い光学性能を維持しつつ、全画角が７５度以上の広画角な投影レンズとすることが可能であり、これとともに全体の系のコンパクト化を確保することが可能である。
【００２４】
また、本発明の投写型表示装置は、本発明の投影レンズを用いていることにより、全画角を７５度以上の広画角としつつ、高い光学性能を維持することができ、さらに装置全体のコンパクト化を図ることが可能である。
【発明を実施するための最良の形態】
【００２５】
以下、本発明の実施形態について図面を用いて説明する。図１は本発明に係る投影レンズを示すものであり、後述する実施例１のレンズ構成図である。このレンズを本実施形態の代表として、以下に説明する。なお、図中Ｘは光軸を表している。
【００２６】
本実施形態の投影レンズは固定焦点レンズであり、拡大側から順に、負の屈折力を有する第１レンズ群Ｇ１と、正の屈折力を有する第２レンズ群Ｇ２と、正の屈折力を有する第３レンズ群Ｇ３とを配設してなり、縮小側が略テレセントリックとされている。
【００２７】
上記第１レンズ群Ｇ１は、拡大側から順に、正、負、負、負および正の５枚のレンズからなる。
また、第２レンズ群Ｇ２は、負および正の２枚のレンズからなる。
また、第３レンズ群Ｇ３は、拡大側から順に、正、負、正、負、正、正、負の７枚のレンズ（実施例２においては負、正、負、正、正、負の６枚、実施例３においては正、負、正、負、正、負の６枚のレンズ）からなる。
【００２８】
さらに、第２レンズ群Ｇ２と第３レンズ群Ｇ３の間に開口絞り３（他位置にマスクを併設することが可能）が配置されている。
【００２９】
なお、図１の投影レンズでは、紙面右側より入射されライトバルブの画像表示面１において画像情報を与えられた光束が、ガラスブロック（ローパスフィルタや赤外線カットフィルタ等の各種フィルタを含む）２を介しこの投影レンズに入射され、この投影レンズにより紙面左側方向に拡大投写されるようになっている。図１には、見易さのため１枚の画像表示面１のみを記載しているが、投写型表示装置において、光源からの光束を色分離光学系により３原色光に分離し、各原色光用に３つのライトバルブを配設して、フルカラー画像を表示可能とするものがある。
【００３０】
なお、具体的には、ガラスブロック２の位置にクロスダイクロイックプリズム等の色合成手段（ガラスブロック）を配設することによりこの３原色光を合成することができる。
【００３１】
また、第１レンズ群Ｇ１の最も縮小側に配置されたレンズ部（図１中では第５レンズＬ５）を光軸方向に移動させてフォーカス調整を行うことが好ましい。
【００３２】
このように第１レンズ群Ｇ１の最も縮小側に配置されたレンズ部をフォーカス移動群とすることにより、フォーカス調整を行う際に、レンズ系全長を一定とすることが可能となる。
【００３３】
また、本実施形態の投影レンズは、以下の条件式（１）〜（４）を満足する。
３．０＜ＤＧ１２／ｆ＜６．０・・・（１）
−８．０＜ｆ１／ｆ＜−３．０・・・（２）
２．５＜ｆ２３／ｆ＜６．０・・・・（３）
１．８＜ｎ１Ｇ・・・・・・・・・・（４）
ここで、
ＤＧ１２：前記第１レンズ群Ｇ１と前記第２レンズ群Ｇ２の距離
ｆ ：全系の焦点距離
ｆ１    ：前記第１レンズ群Ｇ１の焦点距離
ｆ２３  ：前記第２レンズ群Ｇ２と前記第３レンズ群Ｇ３の合成焦点距離
ｎ１Ｇ  ：前記第１レンズ群Ｇ１の最も縮小側のレンズ部を除いた該第１レンズ群Ｇ１の各レンズのd線における屈折率の平均値
【００３４】
以上のように構成することにより、本実施形態の投影レンズは、適切な長さのバックフォーカスを有し、広画角で、高い光学性能を有するとともに、コンパクトなものとすることが可能となる。
【００３５】
以下、上記条件式（１）〜（４）の各々の意義について説明する。
【００３６】
まず、条件式（１）において、その上限を上回ると、全体の系のコンパクト化を図ることが難しくなる。
その一方、その下限を下回ると、全画角として７５度以上を確保することが難しくなり、広角化という要請に対応できなくなる。
【００３７】
なお、この条件式（１）および上記条件式（２）は、フォーカシング全ての位置において成立するように設定されている。
【００３８】
また、この条件式（１）に替えて、下記条件式（１´）を満足するように構成することにより、全体の系のコンパクト化を確保しつつ、より一層広角化を図ることができる。
３．５＜ＤＧ１２／ｆ＜５．５・・・（１´）
【００３９】
次に、条件式（２）、（３）において、ｆ１／ｆやｆ２３／ｆの値の上限を上回ったり、下限を下回ると、第１レンズ群Ｇ１と第２レンズ群Ｇ２・第３レンズ群Ｇ３とのパワーバランスが崩れ、適度なバックフォーカスをとったり、諸収差を補正するのが困難となる。そこで、上記した条件式（２）、（３）を満足することにより、第１レンズ群Ｇ１と第２レンズ群Ｇ２・第３レンズ群Ｇ３とのパワーバランスをとり、適度なバックフォーカスを有するようにして、諸収差の補正を容易なものとしている。
【００４０】
さらに、条件式（４）において、その下限を下回ると、広角化が困難となるので、本実施形態においては、上記した条件式（４）を満足するように構成して、全画角を７５度以上とし得るようにしている。
【００４１】
なお、前述した特許文献１に記載されたものでは、全画角が６９度程度以下と小さいものとなっていたが、本実施形態のものでは、上述したようにＤＧ１２／ｆの値を３．０〜６．０の間の範囲とするように構成しているため、全画角として７５度以上を確保することが可能である。
【００４２】
次に、本発明に係る投写型表示装置の実施形態について説明する。図７は本発明の一実施形態に係る投写型表示装置の主要部（照明光学系１０）の一例を示す構成図である。
【００４３】
図７に示すように上記照明光学系１０は、ライトバルブとしての透過型液晶パネル１１ａ〜１１ｃと、色分解のためのダイクロイックミラー１２，１３と、色合成のためのクロスダイクロイックプリズム１４と、コンデンサレンズ１６ａ〜１６ｃと、全反射ミラー１８ａ〜１８ｃとを備えている。ダイクロイックミラー１２の前段は図示を省略しているが、光源からの白色光は照明光学部を介して、３つの色光光束（Ｇ光、Ｂ光、Ｒ光）にそれぞれ対応する液晶パネル１１ａ〜１１ｃに入射されて光変調され、投影レンズによりスクリーンに投写される。
【００４４】
この投写型表示装置は、本発明に係る投影レンズを用いているので、色収差が良好に補正された高解像な大画面を得ることが可能となっている。
【００４５】
以下、本発明に係る投影レンズの具体的な実施例について説明する。なお、各実施例において、互いに同様の作用効果をなす部材については同一の符号を付している。
【００４６】
＜実施例１＞
図１に示すように、実施例１に係る投影レンズは、拡大側から順に、負の屈折力を有する第１レンズ群Ｇ１と、正の屈折力を有する第２レンズ群Ｇ２と、正の屈折力を有する第３レンズ群Ｇ３とを配設してなり、縮小側が略テレセントリックとされている。
上記第１レンズ群Ｇ１は、拡大側から順に、拡大側に凸面を向けた正メニスカスレンズからなる第１レンズＬ１と、拡大側に凸面を向けた負メニスカスレンズからなる第２レンズＬ２および第３レンズＬ３と、両凹レンズからなる第４レンズＬ４と、縮小側に凸面を向けた正メニスカスレンズからなる第５レンズＬ５との、５枚のレンズからなる。
【００４７】
また、上記第２レンズ群Ｇ２は、拡大側に凸面を向けた負メニスカスレンズからなる第６レンズＬ６および拡大側に凸面を向けた平凸レンズからなる第７レンズＬ７を接合してなる接合レンズからなる。
【００４８】
また、上記第３レンズ群Ｇ３は、両凸レンズからなる第８レンズＬ８および両凹レンズからなる第９レンズＬ９を接合してなる接合レンズと、両凸レンズからなる第１０レンズＬ１０および縮小側に凸面を向けた負メニスカスレンズからなる第１１レンズＬ１１を接合してなる接合レンズと、両凸レンズからなる第１２レンズＬ１２と、両凸レンズからなる第１３レンズＬ１３および縮小側に凸面を向けた負メニスカスレンズからなる第１４レンズＬ１４を接合してなる接合レンズと、の７枚のレンズからなる。
【００４９】
さらに、第２レンズ群Ｇ２と第３レンズ群Ｇ３の間に開口絞り（またはマスク：以下同じ）３が配されている。
【００５０】
また、第１レンズ群Ｇ１の最も縮小側に配置された第５レンズＬ５を、光軸方向に移動させてフォーカス調整を行うようにしている。
なお、第５レンズＬ５を、縮小側に凸面を向けた単一の正の球面レンズとし、さらには第５レンズＬ５にある程度のパワーを持たせることにより、フォーカス移動群を軽量、かつ小移動量とすることができ、フォーカス移動群としてより有利なものとすることができる。
【００５１】
実施例１に係る投影レンズは、上記条件式（１）〜（４）（および条件式（１´））を満足するように構成されている。
【００５２】
また、図１には、ライトバルブの画像表示面１、ガラスブロック２および開口絞り３が示されている。
【００５３】
実施例１に係る投影レンズの各レンズ面の曲率半径Ｒ（焦点距離を１．００として規格化している：以下の実施例において同じ）、各レンズの中心厚および各レンズ間の空気間隔（以下「軸上面間隔」と称す）Ｄ（焦点距離を１．００として規格化している：以下の実施例において同じ）、各レンズのｄ線における屈折率Ｎｄおよびアッベ数νｄの値を、表１の上段に示す。なお、表１および以下の表において面番号の数字は拡大側からの順番を表すものである。
【００５４】
また、表１の下段には、拡大側倍率が１２６．１および４３０．３の各場合における、可変間隔１（第４レンズＬ４と第５レンズＬ５との間隔）および可変間隔２（第５レンズＬ５と第６レンズＬ６との間隔）が示されている。なお、上記「拡大側倍率」とは、投写距離を一定とした場合において変化する倍率を意味するものではなく、投写距離の変化に応じてフォーカシング可能領域内で変化する倍率を意味する。
【００５５】
【表１】
2010054692.tif 000003
【００５６】
実施例１において各条件式（１）〜（４）（および各条件式（１´））に対応する値は、後述する表４に示すとおりであり、条件式（１）〜（４）（および条件式（１´））を全て満足している。
【００５７】
＜実施例２＞
実施例２に係る投影レンズの構成は、図２に示すとおりであり、拡大側から順に、負の屈折力を有する第１レンズ群Ｇ１と、正の屈折力を有する第２レンズ群Ｇ２と、正の屈折力を有する第３レンズ群Ｇ３とを配設してなり、縮小側が略テレセントリックとされている、という点では実施例１に係る投影レンズと同様であるが、主として第３レンズ群Ｇ３の構成の点で異なっている。
【００５８】
すなわち、第３レンズ群Ｇ３が、拡大側から、拡大側に凸面を向けた負メニスカスレンズからなる第８レンズＬ８と、両凸レンズからなる第９レンズＬ９および縮小側に凸面を向けた負メニスカスレンズからなる第１０レンズＬ１０を接合してなる接合レンズと、両凸レンズからなる第１１レンズＬ１１と、両凸レンズからなる第１２レンズＬ１２および縮小側に凸面を向けた負メニスカスレンズからなる第１３レンズＬ１３を接合してなる接合レンズと、の６枚のレンズからなる。
なお、第１レンズ群Ｇ１および第２レンズ群Ｇ２のレンズ構成の点、および第５レンズＬ５を光軸方向に移動させてフォーカス調整を行う点では、実施例１に係る投影レンズと同様である。
【００５９】
実施例２に係る投影レンズの各レンズ面の曲率半径Ｒ、各レンズの軸上面間隔Ｄ、各レンズのｄ線における屈折率Ｎｄおよびアッベ数νｄの値を、表２の上段に示す。
また、表２の下段には、拡大側倍率が１２６．１および４３０．３の各場合における、可変間隔１（第４レンズＬ４と第５レンズＬ５との間隔）および可変間隔２（第５レンズＬ５と第６レンズＬ６との間隔）が示されている。
【００６０】
【表２】
2010054692.tif 000004
【００６１】
実施例２において各条件式（１）〜（４）（および各条件式（１´））に対応する値は、後述する表４に示すとおりであり、条件式（１）〜（４）（および条件式（１´））を全て満足している。
【００６２】
＜実施例３＞
実施例３に係る投影レンズの構成は、図３に示すとおりであり、拡大側から順に、負の屈折力を有する第１レンズ群Ｇ１と、正の屈折力を有する第２レンズ群Ｇ２と、正の屈折力を有する第３レンズ群Ｇ３とを配設してなり、縮小側が略テレセントリックとされている、という点では実施例１に係る投影レンズと同様であるが、主として第３レンズ群Ｇ３の構成の点で異なっている。
【００６３】
すなわち、第３レンズ群Ｇ３が、拡大側から、両凸レンズからなる第８レンズＬ８および両凹レンズからなる第９レンズＬ９を接合してなる接合レンズと、両凸レンズからなる第１０レンズＬ１０および縮小側に凸面を向けた負メニスカスレンズからなる第１１レンズＬ１１を接合してなる接合レンズと、両凸レンズからなる第１２レンズＬ１２および縮小側に凸面を向けた負メニスカスレンズからなる第１３レンズＬ１３を接合してなる接合レンズと、の６枚のレンズからなる。
【００６４】
なお、第１レンズ群Ｇ１および第２レンズ群Ｇ２のレンズ構成の点、および第５レンズＬ５を光軸方向に移動させてフォーカス調整を行う点では、実施例１に係る投影レンズと略同様である。
【００６５】
実施例３に係る投影レンズの各レンズ面の曲率半径Ｒ、各レンズの軸上面間隔Ｄ、各レンズのｄ線における屈折率Ｎｄおよびアッベ数νｄの値を、表３の上段に示す。
また、表３の下段には、拡大側倍率が１２６．１および４３０．３の各場合における、可変間隔１（第４レンズＬ４と第５レンズＬ５との間隔）および可変間隔２（第５レンズＬ５と第６レンズＬ６との間隔）が示されている。
【００６６】
【表３】
2010054692.tif 000005
【００６７】
実施例３において各条件式（１）〜（４）（および各条件式（１´））に対応する値は、後述する表４に示すとおりであり、条件式（１）〜（４）（および条件式（１´））を全て満足している。
【００６８】
また、図４〜６は、実施例１〜３に係る投影レンズの諸収差（球面収差、非点収差、ディストーションおよび倍率色収差）を示す収差図である。これらの収差図において、ωは半画角を示し、球面収差の収差図にはｄ線、Ｆ線およびＣ線の収差曲線を示し、倍率色収差の収差図にはｄ線に対するＦ線（点線：以下同じ）およびＣ線（２点鎖線：以下同じ）の収差曲線を示している。図４〜６に示すように、実施例１〜３に係る投影レンズは、歪曲収差や倍率色収差をはじめ各収差が良好に補正され、Ｆナンバが２．０４と明るく、また、全画角２ωが７６．８度と広画角の投影レンズとされている。
【００６９】
なお、本発明の投影レンズとしては、上記実施例のものに限られるものではなく種々の態様の変更が可能であり、例えば各レンズの曲率半径Ｒおよび軸上面間隔Ｄを適宜変更することが可能である。
【００７０】
また、本発明の投写型表示装置としても、上記構成のものに限られるものではなく、本発明の投影レンズを備えた種々の装置構成が可能である。ライトバルブとしては、例えば、透過型または反射型の液晶表示素子や、傾きを変えることができる微小な鏡が略平面上に多数形成された微小ミラー素子（例えば、テキサス・インスツルメント社製のデジタルマイクロミラーデバイス）を用いることができる。また、照明光学系としても、ライトバルブの種類に対応した適切な構成を採用することができる。
【００７１】
【表４】
2010054692.tif 000006
【図面の簡単な説明】
【００７２】
【図１】本発明の実施例１に係る投影レンズの構成を表す図
【図２】本発明の実施例２に係る投影レンズの構成を表す図
【図３】本発明の実施例３に係る投影レンズの構成を表す図
【図４】実施例１に係る投影レンズの諸収差図
【図５】実施例２に係る投影レンズの諸収差図
【図６】実施例３に係る投影レンズの諸収差図
【図７】本発明の投写型表示装置の主要部の概略構成を表す図
【符号の説明】
【００７３】
１    画像表示面
２    ガラスブロック
３    開口絞り（マスク）
１０    照明光学系
１１ａ〜１１ｃ    透過型液晶パネル
１２、１３    ダイクロイックミラー
１４    クロスダイクロイックプリズム
１６ａ〜１６ｃ    コンデンサレンズ
１８ａ〜１８ｃ    全反射ミラー
Ｇ１、Ｇ２、Ｇ３      レンズ群
Ｌ１〜Ｌ１４    レンズ
Ｒ１〜Ｒ２７    レンズ面等の曲率半径
Ｄ１〜Ｄ２６    レンズ面間隔（レンズ厚）
Ｘ    光軸
【図１】
2010054692.tif 000007
【図２】
2010054692.tif 000008
【図３】
2010054692.tif 000009
【図４】
2010054692.tif 000010
【図５】
2010054692.tif 000011
【図６】
2010054692.tif 000012
【図７】
2010054692.tif 000013